(57)【要約】【課題】  分散型電源を連系した配電系統の運用を所定期間にわたり実験的に試験することができる試験装置を提供する。【解決手段】  送り出し電圧調整部２は模擬的な配電系統へ送り出し電圧を供給する。複数の配電線路３１、３２・・・３６等は、配電線として用いられる架空線を模擬的に等価な回路で表している。複数の開閉器４１、４２・・・４５等は、送り出し電圧調整部２と複数の配電線路との間、及び複数の配電線路間に接続される。また、計測部７は、複数の負荷回路５１、５２、５３等と、分散型電源部６と、送り出し電圧調整部２、配電線路３、開閉器４、負荷回路５及び分散型電源出力部６によりなる配電系統における電圧及び電流に関する値を計測する。制御部８は、計測部７からの電圧及び電流に関する計算値に基づいた試験をするために配電系統を制御する。【選択図】  図１
2008008766.tif 000002
【特許請求の範囲】
【請求項１】
送り出し電圧を自在に調整できる送り出し電圧調整手段と、
固定のインピーダンスが内蔵される複数の配電線路手段と、
上記送り出し電圧調整手段と上記配電線路手段との間に接続される開閉手段と、
抵抗、インダクタンス及びコンデンサを接続した等価回路からなる少なくとも１台の負荷手段と、
発電機能とインバータ機能を有してなり上記配電線路手段に接続されて分散型電源出力を模擬的に発生する少なくとも１台の分散型電源出力手段と、
上記送り出し電圧調整手段、上記配電線路手段、上記開閉手段、上記負荷手段及び上記分散型電源出力手段によりなる配電系統における電圧及び電流に関する値を計測する計測手段とを備え、
上記配電系統の所定期間の運用を上記計測手段の計測値に基づいて試験することを特徴とする試験装置。
【請求項２】
上記送り出し電圧調整手段から上記配電系統に送り出す電圧を上記計測手段の計測値に基づいて調整して上記配電系統の所定期間での運用を試験することを特徴とする請求項１記載の試験装置。
【請求項３】
定常状態における上記配電系統の所定期間における電圧分布、潮流分布を試験することを特徴とする請求項１または請求項２記載の試験装置。
【請求項４】
上記送り出し電圧調整手段は、タップ制御により送り出し電圧を調整することを特徴とする請求項１乃至請求項３のいずれか１項記載の試験装置。
【請求項５】
ネットワークを介して上記配電系統の所定期間の運用を試験することを特徴とする請求項１乃至請求項４のいずれか１項記載の試験装置。
【発明の詳細な説明】
【技術分野】
【０００１】
本発明は、自然エネルギーを利用した分散型電源を連系した配電系統の運用を例えば２４時間という所定期間で試験する試験装置に関する。
【背景技術】
【０００２】
下記特許文献１には、多種多様な配電系統を模擬して配電機器の総合動作試験を行うことができる試験装置が開示されている。任意の配電系統に設置された配電機器の総合動作試験を行うもので、電源を模擬する電源ユニットと変電所を模擬する変電所ユニットと、配電線を模擬する配電線ユニットと、負荷を模擬する負荷ユニットとから構成され、電源ユニット、変電所ユニット、配電線ユニット及び負荷ユニットを適宜組み合わせて相互間を適宜配線で接続することにより任意の配電系統を模擬する配電系統模擬回路を形成し、これに配電機器として例えば区分開閉器とこの区分開閉器を制御する開閉器子局とを接続して、区分開閉器および開閉器子局の総合動作試験を行う。
【０００３】
ところで、近年、太陽光発電設備や風力発電設備等の発電設備を設置して、該発電設備を配電線に連系させる需要家が増加する傾向にあり、配電線に多くの発電設備が分散型電源として連系するようになっている。
【０００４】
配電線と分散型電源を構成する発電設備との保護協調を図る上での基本的な考え方を示すものとして、下記非特許文献１が制定されている。この非特許文献１には、連系された系統に事故が発生したときには発電設備を系統から解列する等の考え方が示されている。
【０００５】
また、下記特許文献２には、配電系統に接続して使用される実機器として太陽光発電システムを試験対象とした配電系統模擬回路が記載されている。特に、配電系統に接続して使用される実機器を試験する試験装置において、上記配電系統を電子回路で模擬した配電系統模擬回路と、上記実機器と上記配電系統模擬回路との間に接続されるアクティブパワーインタフェース装置とを備える試験装置が開示されている。
【０００６】
【特許文献１】特開平８−２０５３３４号公報
【特許文献２】特開２００５−１３４２８０号公報
【非特許文献１】電力系統連系技術要件ガイドライン（１９９８年改正）
【発明の開示】
【発明が解決しようとする課題】
【０００７】
上述したように、上記特許文献１は分散型電源装置を試験対象とした試験装置について開示したものではなく、分散型電源の連系による配電系統への影響や効果の検証という点での記載はない。また、上記特許文献２は太陽光発電システムの単独運転防止機能、電力系統保護機能等に関する試験装置について開示しているが、分散型電源を連系した配電系統の運用を例えば２４時間という所定期間で試験する装置については開示していない。つまり、上記特許文献１、特許文献２及び非特許文献１のいずれにも、実験的に分散型電源を連系した配電系統の運用を例えば２４時間という所定期間で試験する装置についての記載はない。
【０００８】
本発明は、上記実情に鑑みてなされたものであり、分散型電源を連系した配電系統の運用を所定期間にわたり実験的に試験することができる試験装置の提供を目的とする。
【課題を解決するための手段】
【０００９】
本発明に係る試験装置は、上記課題を解決するために、送り出し電圧を自在に調整できる送り出し電圧調整手段と、固定のインピーダンスが内蔵される複数の配電線路手段と、上記送り出し電圧調整手段と上記配電線路手段との間に接続される開閉手段と、抵抗、インダクタンス及びコンデンサを接続した等価回路からなる少なくとも１台の負荷手段と、発電機能とインバータ機能を有してなり上記配電線路手段に接続されて分散型電源出力を模擬的に発生する少なくとも１台の分散型電源出力手段と、上記送り出し電圧調整手段、上記配電線路手段、上記開閉手段、上記負荷手段及び上記分散型電源出力手段によりなる配電系統における電圧及び電流に関する値を計測する計測手段とを備え、上記配電系統の所定期間の運用を上記計測手段の計測値に基づいて試験する。
【００１０】
このため、本発明の試験装置は、計測手段により計測した配電系統における電圧及び電流に関する値に基づいて、分散型電源出力手段を含む配電系統の所定期間での運用を試験することができる。
【発明の効果】
【００１１】
本発明に係る試験装置によれば、瞬時ではなく所定期間における分散型電源の連系による配電系統への影響や効果の検証や評価を実験的に行うことができるので、実際の配電系統に対する影響評価の精度を上げることができる。
【発明を実施するための最良の形態】
【００１２】
以下、本発明を実施するための最良の形態について図面を参照しながら説明する。この実施の形態は、発電機能とインバータ機能を有している太陽光発電装置や風力発電装置等の分散型電源を連系した配電系統における所定期間、例えば２４時間の運用を模擬的に試験する分散型電源連系配電系統の模擬試験装置である。分散型電源の連系による配電系統への影響や効果の検証や評価に用いられる。
【００１３】
図１は分散型電源連系配電系統の模擬試験装置の構成図である。この模擬試験装置は、模擬的な配電系統へ送り出し電圧を供給する送り出し電圧調整部２と、配電線として用いられる架空線を模擬的に等価な回路で表した複数の配電線路部３１、３２・・・３６等と、送り出し電圧調整部２と複数の配電線路部３１、３２・・・３６等との間、及び複数の配電線路部間に接続される複数の開閉器４１、４２・・・４５等とを備える。また、複数の負荷回路５１、５２、５３等と、分散型電源出力部６と、上記各構成部よりなる模擬的な配電系統における電圧及び電流に関する値を計測する計測部７と、計測部７からの電圧及び電流に関する計算値に基づいた試験をするために上記配電系統を制御する制御部８とを備える。
【００１４】
送り出し電圧調整部２は、定格電圧6600Vの実際の配電系統を定格電圧200V前後、定格電流１6A前後に縮小した送り出し電圧・電流を模擬配電系統に送り出す。
【００１５】
送り出し電圧調整部２の前段には自動電圧調整器（Automatic Voltage Regulator：ＡＶＲ）１が設けられている。ＡＶＲ１は電圧変動範囲200V±10％、精度180V〜220V±3V以下、定格容量15KVA、応答時間1sの電圧を摺動電圧調整方式により発生する。
【００１６】
送り出し電圧調整部２は、制御部８の制御に基づいてＡＶＲ１が発生した180Vより220Vを21タップの2V刻み（6.6kV系統の21タップの30V刻みに対応）で調整し、配電系統に送り出す。送り出し電圧調整部２のタップすなわち送り出し電圧は24時間断面での設定、自動切り替えが可能である。例えば、オンロードタップチェンジャー付き変圧器を適用することができ、この変圧器は、タップの切り替えをマグネットスイッチで切り替える。
【００１７】
複数の配電線路部３１、３２・・・３６は、それぞれ抵抗ＲとリアクタンスＬからなる固定のインピーダンスが内蔵される。例えば、アルミ線240mm2（ALOC240）やアルミ線120mm2（ALOE120）の架空線を模擬している。線路インピーダンスは、実系統の0km〜1.5km相当まで0.1km刻みで変更可能である。線路部内の開閉器の開閉状態は、制御部８からの制御信号により制御される。線路容量は例えば30Aである。線路部の両端には計測部７が接続できるように接続部４０、４１が設けられている。図２は配電線路部３の16刻みの距離の模擬について説明するための図である。各線路装置のＲ，Ｌ素子の値を表に示したｒ、２ｒ、４ｒ、８ｒを”0”、”1”にて表現することにより、０、Ｌ、２Ｌ〜１５Ｌの16刻みで線路距離を模擬することができる。
【００１８】
開閉器４１、４２・・・４５等は、送り出し電圧調整部２と複数の配電線路との間、及び複数の配電線路間に接続され、送り出し電圧調整部２と複数の配電線路部３１、３２・・・３６間の接続や、複数の配電線路部３１、３２・・・３６間の接続を制御部８の制御により開閉する。
【００１９】
負荷回路５１、５２、５３等は、単相負荷を想定しており容量２A（6.6kV系統の50Aに対応）の定インピーダンス負荷である。ＲＬＣ素子の組み合わせからなる。動的に離散制御可能である。繁華街（商業地）、工業地域、住宅地域、郊外地域の重負荷、軽負荷の日変化を再現できる。
【００２０】
分散型電源出力部６は発電機能とインバータ機能を備えてなり配電線路部に接続されて分散型電源出力を模擬的に発生するとともに、制御部８からの制御によりインバータ負荷にもなる。三角波比較ＰＷＭ（pulse width modulation）制御が可能であり、スイッチング周波数はチョッパが18kHz、インバータが9kHzである。出力電流歪率は総合が5%以下、各次が3%以下である。出力力率は自在に設定可能である。制御部８からの制御信号で定格電力出力又は定電流出力制御が可能である。＋の制御信号で分散型電源として動作し、−の指令値で定電力負荷として動作する。定格出力容量は9.2kWである。
【００２１】
計測器７は、送り出し電圧調整部２、配電線路部３１、３２・・・３６、開閉器４１、４２・・・４５等、負荷回路５１、５２、５３及び分散型電源出力部６によりなる模擬的な配電系統における電圧及び電流に関する値を計測する。具体的には、送り出し電圧調整部２のトランス１次側、２次側線間電圧（実効値）、トランス２次側各相電圧（瞬時値）、各相線路電流（瞬時値）、配電線路部の各相電圧（瞬時値）、各相電流（瞬時値）を計測する。デジタル計測器であれば、CSV形式でデータを保管し、サンプリングタイムは10μs〜10sで設定することができる。計測器７の計測値は、制御部８に送られる。
【００２２】
制御部８は、予め設定されたタイムチャートとともに、計測部７からの電圧及び電流に関する計算値に基づいて上記模擬的配電系統を制御し、上記模擬的配電系統の所定期間における運用を試験する。図３に示すように、制御部８は、送り出し電圧調整部２の送り出し電圧調整を制御する送り出し電圧制御処理部９、複数の負荷回路５１、５２、５３等の組み合わせを変えて例えば繁華街（商業地）における重負荷及び軽負荷、工業地における重負荷及び軽負荷、住宅地域における重負荷及び軽負荷、郊外地域における重負荷及び軽負荷の日変化を再現する負荷制御処理部１０、発電機能とインバータ機能を制御して分散型電源出力を分散型電源出力部６に模擬的に発生させたり、力率を自在に設定可能な定電力負荷（インバータ負荷）となる分散型電源出力処理部１１及び開閉器４１、４２・・・４５等を制御し、送り出し電圧調整部２からの送り出し電圧を配電線路部３１、３２・・・３６に供給するか否かを切り換える開閉器制御処理部１２を有する。もちろん、制御部８は、配電線路部３の組み合わせを図２に示した２値化データの組み合わせにより16刻みで設定することができる。さらに、制御部８は計測部７からの計測値を演算する演算処理部１３を備え、計測値演算部１３により演算した結果に基づいて、送り出し電圧制御処理部９を動作させ、制御信号を送り出し電圧調整部２へ供給する。
【００２３】
次に、分散型電源連系配電系統の模擬試験装置の動作について説明する。先ず、送り出し電圧調整部２は制御部８の制御により、例えば、図４に示すように、２４時間断面で送り出し電圧が設定される。図４には重負荷時の送り出し電圧と軽負荷時の送り出し電圧Ｖ０を示す。制御部８からタップ位置の時系列データ（タイムチャート）に基づいた送り出し電圧の制御信号が供給されることにより、送り出し電圧調整部２は１９０Ｖ≦Ｖ０≦２１０Ｖで送り出し電圧Ｖ０を図５に示すように調整する。実規模系統では、６３００Ｖ≦Ｖ０≦６９００Ｖに相当する。図５（Ａ）には重負荷時と軽負荷時の電圧許容範囲を示す。実線は重負荷時の送り出し電圧変化である。破線は軽負荷時の送り出し電圧変化である。図５（Ｂ）は送り出し電圧制御信号に応じたタップ制御による送り出し電圧Ｖ０と送り出し電流Ｉ０を示す。また、送り出し電圧Ｖ０と送り出し電流Ｉ０が配電系統に供給されたときの、定インピーダンス負荷制御信号、開閉器制御信号、線路長制御信号、分散型電源制御信号（定電力負荷制御信号を含む）についても示している。黒く塗りつぶした四角形は、閉じている開閉器を示し、白い四角形は開放状態の開閉器を示す。上又は下に向いた矢印は、Ｒ，Ｌ，Ｃからなる負荷回路を示している。送り出し電流Ｉ０として１６Ａが供給され、第１負荷回路５１にはＩ１≦２Ａ、第２負荷回路５２にはＩ２≦２Ａ、第３負荷回路５３にはＩ３≦２Ａ（分散型電源出力部６を−の指令値で定電力負荷として動作させた場合）、第４負荷回路５４にはＩ４≦２Ａ（分散型電源出力部６を＋の制御信号で分散型電源として動作させた場合）が流れる。第５負荷回路５５にはＩ５≦２Ａ、第６負荷回路５６にはＩ６≦２Ａが流れる。これらの値は、実規模系統における送り出し電流Ｉ０＝４００Ａ、Ｉ１≦５０Ａ、Ｉ２≦５０Ａ、Ｉ３≦５０Ａ、Ｉ４≦５０Ａ、Ｉ５≦５０Ａ、Ｉ６≦５０Ａに相当する。このように、分散型電源連系配電系統の模擬試験装置では、実規模系統に対して電圧Ｖを１／３０倍、電流Ｉを１／２５倍にして、例えば所望の配電線路部の接続部における各相電圧、各相電流を見ることができる。
【００２４】
送り出し電圧の制御信号は、制御部８の送り出し制御処理部９によりタップ位置の時系列データに基づいて生成され、送り出し電圧調整部２に供給される。なお、送り出し電圧の制御信号は、計測部７から入力される計測値に基づいて生成することも可能である。例えば、送り出し電圧調整部２のトランス２次側の各相線路電流に所定の係数を掛けた値を送り出し電圧とするようタップ位置を調整する制御信号をしたり、配電線路部の各相電流が所定値以上（各相電圧が所定値以下）であれば送り出し電圧を上げ方向にタップ位置を調整する制御信号を、また、各相電流が所定値以下（各相電圧が所定値以上）であれば送り出し電圧を下げ方向にタップ位置を調整する制御信号を生成することができる。
【００２５】
また、定インピーダンス負荷の制御信号は、制御部８の負荷制御処理部１０により負荷インピーダンス（ＲＬＣ）の時系列スイッチングデータに基づいて生成され、負荷部５に供給される。開閉器の制御信号は、制御部８の開閉器制御処理部１２により開閉器の時系列スイッチングデータに基づいて生成され、開閉器４に供給される。線路長の制御信号は、制御部８により線路長の時系列スイッチングデータに基づいて生成され、線路回路３に供給される。分散型電源の制御信号は、制御部８の分散型電源出力制御処理部１１により分散型電源の時系列スイッチングデータに基づいて生成され、分散型電源部６（この試験装置ではインバータ）に供給される。分散型電源部６は分散型電源出力制御処理部１１からの制御信号により有効電力（Ｐ）および無効電力（Ｑ）をそれぞれ−９．２Ｖ〜＋９．２［ｋＷ］、−９．２〜＋９．２［ｋＶａｒ］の範囲で設定される。なお、＋の制御信号で分散型電源として動作し、−の指令値で定電力負荷として動作する。
【００２６】
この分散型電源連系配電系統の模擬試験装置によれば、所定期間内に上記送り出し電圧調整部２から模擬的な配電系統に送り出す電圧を調整することにより配電系統の所定期間、例えば２４時間での運用を試験することができる。基本的には、配電系統の定常状態における運用を試験する。つまり、定常状態における配電系統の所定期間における電圧分布、潮流分布を試験することができる。送り出し電圧調整部２における電圧調整は、タップ制御により行われる。特に、この模擬試験装置は、配電系統の所定期間の運用を計測部７の計測値に基づいた制御部８の制御により行うことで、分散型電源の連系による配電系統への影響や効果の検証や評価を実験的に行うことができる。もちろん、実際の配電系統に対する検証や評価の精度を上げることができる。
【００２７】
特に、この分散型電源連系配電系統の模擬試験装置によれば、図１に示したような構成の負荷モデルで、４つの負荷特性が再現可能である。これは図３に示した制御部８の負荷制御処理部１０に基づいている。商業地（繁華街）の負荷の時系列スイッチングデータに基づいて商業地負荷を再現することができる。また、工業地域負荷の時系列スイッチングデータに基づいて工業地域負荷を再現することができる。また、住宅地域負荷の時系列スイッチングデータに基づいて住宅地域負荷を再現できる。また、郊外地域負荷の時系列スイッチングデータに基づいて郊外地域負荷を再現できる。さらに、各地域負荷にあっては、重負荷と軽負荷とを再現できる。各地域負荷の重負荷及び軽負荷は、所定期間例えば２４時間の日変化を１時間ごとに設定可能である。
【００２８】
分散型電源連系配電系統の模擬試験装置は、これらの負荷特性を再現しながら、各地域における分散型電源が連系された配電系統の所定期間における運用、例えば電圧分布、潮流分布を試験することができる。
【００２９】
また、本発明は、図６に構成を示すような分散型電源連系配電ネットワークの模擬試験装置にも適用できる。この分散型電源連系配電ネットワークの模擬試験装置は、制御部８にパーソナルコンピュータやワークステーションのようなコンピュータ１４を接続し、このコンピュータ１４により制御部８への設定の入力や計測部７による計測値の出力、および計測値の演算、模擬試験装置の制御を行う。
【００３０】
また、コンピュータ１４は、イントラネット１５に接続され、このイントラネット１５はゲートウェイ１６を介してインターネット１７に接続している。インターネット１７には、この分散型電源連系配電ネットワークの模擬試験装置に前述したような各データを入力可能な遠隔地の設備Ａ、Ｂ、Ｃ及びＤが接続されている。もちろん、設備Ａ、Ｂ、Ｃ及びＤは、分散型電源連系配電ネットワークの模擬試験装置を用いて遠隔地から所望の分散型電源連系配電ネットワークの模擬試験を行うことができる。
【００３１】
図７〜図１２には分散型電源連系配電ネットワークの模擬試験装置の操作をコンピュータ１５を用いて行う際の設定画面の具体例を示す。図７に示したメニュー画面２０には、主操作画面選択タッチスイッチ２１、送り出し電圧設定画面選択タッチスイッチ２２、機能設定画面選択タッチスイッチ２３、線路間開閉器設定画面選択タッチスイッチ２４、分散型電源出力設定画面選択タッチスイッチ２５及び負荷設定画面選択タッチスイッチ２６が設けられている。
【００３２】
メニュー画面２０にて主操作画面選択タッチスイッチ２１がオペレータにより選択されると、例えば、試験を開始するか停止するかや、２４時間断面の送り出し電圧が１時間毎に表示される主操作画面が表示される。また、送り出し電圧設定画面２２がオペレータにより選択されると、図８に示す送り出し電圧設定画面２７が表示される。２４時間断面で送り出し電圧調整部２として用いる上記変圧器のタップを設定するために、時間設定表示部２８とタップ設定表示部２９が設けられている。この送り出し電圧設定画面２７にて設定されたタップにより制御部８は送り出し制御処理部９として動作し各時間ごとの送り出し電圧を設定し、送り出し電圧調整部２による送り出し電圧の調整を制御する。
【００３３】
メニュー画面２０にて機能設定画面選択タッチスイッチ２３がオペレータにより選択されると、図９に示す機能設定画面３０が表示される。設定された送り出し電圧、負荷パターンに対し、実際に試験装置を動作させるときの各時間断面に費やす時間と何日分の操作を繰り返すかの設定が行われる。図９には、時間断面に費やす時間表示３１が２secと表示され、繰り返し回数表示３２は３回と表示されている。また、時間断面回数表示部３３には時間が表示され、その時間を選択／解除することにより当該時間断面での試験を実施するか／省略するかを選択できる。
【００３４】
メニュー画面２０にて線路開閉器設定画面選択タッチスイッチ２４が選択されると、図１０に示す線路開閉器設定画面３４が表示される。ＭＣスイッチ３５、３６により系統構成を自由に設定することが可能となる。この線路開閉器設定画面３４にて設定された線路開閉器の開閉により制御部８は開閉器制御処理部１２として動作し各時間ごとの開閉を設定し、開閉器４１、４２・・・４５等による開閉を制御する。
【００３５】
メニュー画面２０にて負荷設定画面選択タッチスイッチ２６が選択されると、図１１に示す負荷設定画面（１号Ｒ負荷に関する）３７が表示される。負荷ごとにロードカーブ（２４時間断面の線路電流、力率）の設定が可能となる。図１１では、時間表示３８の時間毎に線路電流が表示されている。また、この負荷設定画面３７には、商業地における重負荷の日変化を設定できるタッチスイッチ３９、商業地における軽負荷の日変化を設定できるタッチスイッチ４０、工業地における重負荷の日変化を設定できるタッチスイッチ４１、工業地における軽負荷の日変化を設定できるタッチスイッチ４２、住宅地における重負荷の日変化を設定できるタッチスイッチ４３、住宅地における軽負荷の日変化を設定できるタッチスイッチ４４、郊外における重負荷の日変化を設定できるタッチスイッチ４５、郊外における軽負荷の日変化を設定できるタッチスイッチ４６が配列されており、その選択に応じて、繁華街（商業地）、工業地域、住宅地域、郊外地域の重負荷、軽負荷の日変化の負荷設定を可能とする。例えば、タッチスイッチ３９がオペレータにより選択されれば、商業地における重負荷の日変化を設定できる。
【００３６】
例えば、メニュー画面２０にて負荷設定画面選択スイッチ２６が選択されて図１１に示す負荷設定画面３７が表示された場合、図３に示した制御部８における負荷制御処理部１０による負荷モードの設定を受け入れる。上述したように、商業地の重負荷タッチスイッチ３９がオペレータによって選択されれば、時間表示３８ごとに商業地の重負荷モードに相当するＲ負荷設定、Ｌ負荷設定、Ｃ負荷設定が表示される。上述した商業地の負荷の時系列スイッチングデータに応じたデータ入力に基づいている。分散型電源連系配電ネットワークの模擬試験装置は、これらの負荷特性を再現しながら、各地域における分散型電源が連系された配電系統の所定期間における運用、例えば電圧分布、潮流分布を試験することができる。
【００３７】
メニュー画面２０にて分散型電源出力設定画面選択タッチスイッチ２５が選択されると、図１２に示す分散型電源出力設定画面４７が表示される。２４時間断面で分散型電源部６の出力を設定するために、時間設定表示部４８と有効電力（Ｐ）設定表示部４９および無効電力（Ｑ）設定表示部４９が設けられている。この分散型電源出力設定画面４７にて設定されたＰおよびＱにより、制御部８は分散型電源出力制御処理部１１として動作し各時間ごとの分散型電源出力を設定し、分散型電源部６による分散型電源出力の調整を制御する。なお、ＰおよびＱの値が、＋であれば分散型電源として動作し、−であれば定電力負荷として動作する。
【００３８】
図７から図１２に示した画面表示はコンピュータ１４のモニタに表示されるが、図１に構成を示した模擬試験装置の制御部８にモニタを接続し、これら画面を表示するようにしてもよい。
【図面の簡単な説明】
【００３９】
【図１】分散型電源連系配電系統の模擬試験装置の構成図である。
【図２】配電線路部の16刻みの距離の模擬について説明するための図である。
【図３】制御部における各機能を説明するための図である。
【図４】重負荷時の送り出し電圧と軽負荷時の送り出し電圧を示す図である。
【図５】重負荷時と軽負荷時の電圧許容範囲を示す図である。
【図６】分散型電源連系配電ネットワークの模擬試験装置の構成図である。
【図７】メニュー画面を示す図である。
【図８】送り出し電圧設定画面を示す図である。
【図９】機能設定画面を示す図である。
【図１０】線路開閉器設定画面を示す図である。
【図１１】負荷設定画面を示す図である。
【図１２】分散型電源出力設定画面を示す図である。
【符号の説明】
【００４０】
２  送り出し電圧調整部、３１，３２・・・３６  配電線路部、４１、４２・・・４５  開閉器、５１、５２、５３  負荷回路、６  分散型電源部、７  計測部、８  制御部
【図１】
2008008766.tif 000003
【図２】
2008008766.tif 000004
【図３】
2008008766.tif 000005
【図４】
2008008766.tif 000006
【図５】
2008008766.tif 000007
【図６】
2008008766.tif 000008
【図７】
2008008766.tif 000009
【図８】
2008008766.tif 000010
【図９】
2008008766.tif 000011
【図１０】
2008008766.tif 000012
【図１１】
2008008766.tif 000013
【図１２】
2008008766.tif 000014